(57)【要約】【課題】ＡＬＩＳ方式の特徴を生かしたコストダウンが図れるプラズマディスプレイパネルの駆動回路を提供する。【解決手段】Ｘ電極側（共通電極側）,Ｙ電極側（走査電極側）に各々第１、第２のサスティン出力回路が配置されるが、サスティン回路に付属する電力回収回路は第１のサスティン回路動作でも第２のサスティン回路動作時でも動作する共通動作の電力回収回路として構成する。すなわち、この共通の電力回収回路は第１のサスティン回路が動作する期間の前半の期間と後半の期間でパネル電極容量からの電力の供給、回収の動作したのちに第２のサスティン回路の動作する期間の前半期間と後半期間でも同様に動作するように構成する。【選択図】図１
2007164014.tif 000002
【特許請求の範囲】
【請求項１】
プラズマディスプレイパネルの走査電極側と共通電極側に各々第１サステイン駆動回路と第２サステイン駆動回路とを備えてインターレース駆動するＡＬＩＳ駆動方式のプラズマディスプレイパネルの駆動方法において、
サステイン駆動動作の前期間にパネル電極へ電力の供給を行い、後期間に電力の回収を行う電力回収回路を、前記第１サステイン駆動回路の動作と前記第２サステイン駆動回路の動作とで交互に動作させて使用することを特徴とするプラズマディスプレイパネルの駆動方法。
【請求項２】
プラズマディスプレイパネルの走査電極側と共通電極側に各々第１サステイン駆動回路と第２サステイン駆動回路を備えてインターレース駆動するＡＬＩＳ駆動方式のプラズマディスプレイパネルの駆動回路において、
サステイン駆動動作の前期間にパネル電極へ電力の供給を行い、後期間に電力の回収を行う電力回収回路と、前記電力回収回路を前記第１サステイン駆動回路の動作と前記第２サステイン駆動回路の動作とで交互に動作させて使用する制御部とを備えたことを特徴とするプラズマディスプレイパネルの駆動回路。
【請求項３】
請求項２に記載のプラズマディスプレイパネルの駆動回路において、
走査電極側の電極駆動回路内及び共通電極側の電極駆動回路内の前記電力回収回路と前記第１サステイン駆動回路との間、及び、前記電力回収回路と前記第２サステイン駆動回路との間に、電気的スイッチ回路を入れたことを特徴とするプラズマディスプレイパネルの駆動回路。
【請求項４】
請求項３に記載のプラズマディスプレイパネルの駆動回路において、
前記走査電極側の電極駆動回路内及び共通電極側の電極駆動回路内の前記電気的スイッチ回路が第１の電気的スイッチ及び第２の電気的スイッチを備えており、
前記電力回収回路の出力端子と前記第１サステイン駆動回路の出力端子とを前記第１の電気的スイッチで接続し、前記電力回収回路の出力端子と前記第２サステイン駆動回路の出力端子とを前記第２の電気的スイッチで接続したことを特徴とするプラズマディスプレイパネルの駆動回路。
【請求項５】
請求項３に記載のプラズマディスプレイパネルの駆動回路において、
前記走査電極側の電極駆動回路内及び共通電極側の電極駆動回路内の前記電気的スイッチ回路が第１の電気的スイッチを備えており、
前記電力回収回路の出力端子と前記第１サステイン駆動回路の高電圧側端子、及び、前記電力回収回路の出力端子と前記第２サステイン駆動回路の高電圧側端子とをそれぞれ接続し、且つ、前記第１サステイン駆動回路の高電圧側端子と前記第２サステイン駆動回路の高電圧側端子とを接続し、前記各端子の接続点と放電電圧電源端子とを前記第１の電気的スイッチで接続したことを特徴とするプラズマディスプレイパネルの駆動回路。
【発明の詳細な説明】
【技術分野】
【０００１】
本発明は、ＡＬＩＳ（Alternate  Lighting  of  Surface）方式のプラズマディスプレイパネルを駆動する駆動方法及び駆動回路に関する。
【背景技術】
【０００２】
近年、プラズマディスプレイパネル（以下、「ＰＤＰ」と略称する。）は、自己発光型であるため、視認性がよく、薄型で大画面表示及び高速表示が可能であるからＣＲＴにかわる表示パネルとして実用化されている。
【０００３】
このＰＤＰの表示方式には、１つのフィールドで全ての表示ラインを表示するノンインターレース（プログレッシブ）方式と、奇数番目の表示ラインを表示する奇数フィールドと偶数番目の表示ラインを表示する偶数フィールドを交互に表示するインターレース方式がある。中でも、ＡＬＩＳ方式と呼ばれるとインターレース方式は、高精細の表示を低コストで実現するものとして注目されている。
【０００４】
該ＡＬＩＳ方式は例えば特許文献１または特許文献２に開示されている。すなわち、特許文献によれば、従来のＰＤＰが対をなす表示電極（ＸおよびＹ電極）で１表示ラインが形成されるのに対して、隣接する表示電極のすべての間で表示ラインを形成することにより、同数の表示電極数であれば２倍の表示ラインが実現でき、同数の表示ライン数を形成するのであれば半分の電極数で実現できる。
【０００５】
上記したＡＬＩＳ方式のＰＤＰの駆動回路では、特許文献１の図３あるいは、特許文献２の図４に示されるように、ＰＤＰのＹ電極側（走査電極側），Ｘ電極側（共通電極側）にそれぞれ同じ回路構成の第１，第２サステイン回路が配置されている。また、この第１，第２サステイン回路に各々付随して、特許文献１の図５で示す共振用のコイル、ダイオード、スイッチとして機能するＭＯＳトランジス、回収用のコンデンサ等で構成される電力回収回路が配置されている。
【０００６】
また、電力回収回路としては、例えば、特許文献３にその作用が詳細に開示されているように、コイルとＰＤＰのパネル容量Ｃｐとで形成される共振作用により、パネル容量Ｃｐに蓄積された電荷を回収コンデンサに回収し、また回収コンデンサにより回収した電荷をパネル容量Ｃｐに供給するものである。以下、この作用を便宜上「電力回収」というものとする。
【特許文献１】特開２００４−３０９９８３号公報
【特許文献２】特許第２８０１８９３号公報
【特許文献３】特公平７−１０９５４２号公報
【発明の開示】
【発明が解決しようとする課題】
【０００７】
ＡＬＩＳ方式の場合、総表示ラインの内、半分（例えば奇数番目）を奇数フィールドで表示し、残りの半分（例えば偶数番目）を偶数フィールドで表示する。これを実現するために、特許文献１の図４の駆動波形で示されるように、各フィールドで、各電極側の２つのサステイン回路は、交互に接地電位に固定されることになる。従って、接地電位に固定されたサステイン回路に付随する電力回収回路は、接地されている間、電力回収の動作をしてないことになる。いいかえれば、一方の電力回収回路が電力回収をしている期間、他方は電力回収の動作をしてないことになる。
【０００８】
従来のＡＬＩＳ方式のＰＤＰの駆動回路では、「各電極側の２つのサステイン回路にそれぞれ付随する電力回収回路は、交互に電力回収作用を行う」、という上記指摘について十分考慮されていない。本発明は、上記した事情に鑑みてなされたもので、ＡＬＩＳ方式の特徴を生かしたコストダウンが図れるプラズマディスプレイパネルの駆動回路を提供することを目的とする。
【課題を解決するための手段】
【０００９】
本発明では、Ｘ電極側（共通電極側）、Ｙ電極側（走査電極側）に各々第１、第２のサステイン出力回路が配置されるが、サステイン回路に付属する電力回収回路は第１のサステイン回路動作でも第２のサステイン回路動作時でも動作する共通動作の電力回収回路として構成する。すなわち、この共通の電力回収回路は第１のサステイン回路が動作する前期間と後期間でパネル電極容量からの電力の供給、回収の動作したのちに第２のサステイン回路の動作する前期間と後期間でも同様に動作するように構成する。
【発明の効果】
【００１０】
本発明によれば、一つの共通な電力回収回路をアクティブなサステイン回路側に切り替えて接続するようにするので、各電極側の２つのサステイン回路にそれぞれ電力回収回路を設ける必要がなくなり、ＡＬＩＳ方式の特徴を生かしたコストダウンが図れる。
【発明を実施するための最良の形態】
【００１１】
以下、本発明の最良の形態について、図面を参照しながら詳細に説明する。なお、各図において、共通な機能を有する要素には同一な符号を付して示し、一度述べたものについては、その重複する説明を省略する。
【実施例１】
【００１２】
図１は、本発明の実施例１のプラズマディスプレイ装置の概略全体構成図である。また、図２は、本発明の実施例１によるＰＤＰの駆動回路の詳細図であり、図３は、図２の駆動回路の動作を説明する各部の電圧波形図である。まず、図１を用いて、プラズマディスプレイ装置の概略構成について説明する。
【００１３】
図１において、ＡＬＩＳ方式のＰＤＰ６０では、ｎ本のＹ電極６２とｎ＋１本のＸ電極６１を隣接して交互に配置し、全ての表示電極（Ｙ電極とＸ電極）の間で表示発光を行う。従って、２ｎ＋１本の表示電極で、２ｎ本の表示ラインが形成される。なお、Ｙ電極（走査電極）とＸ電極（共通電極）は、表示電極と呼ばれるが、維持電極またはサステイン電極とも呼ばれることもある。アドレス電極６３は、表示電極と垂直な方向に設けられ、Ｘ電極およびＹ電極で形成される各表示ラインと各アドレス電極との交点部分にそれぞれ表示セル（図示せず）が形成される。
【００１４】
ＡＬＩＳ方式では、全ての表示電極間を表示のための放電に利用するが、それらの放電を同時に発生することはできない。そこで、表示を奇数ラインと偶数ラインで時間的に分割する、いわゆるインターレース走査を行う。奇数フィールドでは奇数番目の表示ラインで表示を行い、偶数フィールドでは偶数番目の表示ラインで表示を行って、全体として奇数フィールドと偶数フィールドの表示を合わせた表示を得るようになっている。
【００１５】
Ｙ電極はスキャンドライバ２０に接続されている。スキャンドライバ２０にはスイッチ２１が設けられており、後述する駆動制御回路７０からの制御信号によって、アドレス期間には順にスキャンパルス（図示せず）が印加されるように切り替えられる。また、サステイン放電（維持放電）期間には、Ｙ電極は、Ｙ電極駆動回路１００Ｙに接続されるように切り替えられる。このとき、Ｘ電極は、Ｘ電極駆動回路１００Ｘに接続される。
【００１６】
Ｙ電極駆動回路１００Ｙは、詳細は、図２で後述するが、第１のＹサステイン回路１０Ｙｏと第２のＹサステイン回路１０Ｙｅと電力回収回路３０Ｙとスイッチ回路４０Ｙとを含む。そして、サステイン放電期間には、奇数番目のＹ電極（以下、「Ｙ奇数電極」と称する）は第１のＹサステイン回路１０Ｙｏに、偶数番目のＹ電極（以下、「Ｙ偶数電極」と称する）は第２のＹサステイン回路１０Ｙｅに接続される。また、Ｘ電極駆動回路１００Ｘも第１のＸサステイン回路１０Ｘｏと第２のＸサステイン回路１０Ｘｅと電力回収回路３０Ｘとスイッチ回路４０Ｘとを含み、サステイン放電期間には、奇数番目のＸ電極（以下、「Ｘ奇数電極」と称する）は第１のＸサステイン回路１０Ｘｏに、偶数番目のＸ電極（以下、「Ｘ偶数電極」と称する）は第２のＸサステイン回路１０Ｘｅに接続される。
【００１７】
また、アドレス電極６３は、アドレスド回路５０に接続される。画像信号処理回路８０は、入力された画像信号をプラズマディスプレイ装置内部での動作に適した形式に変換した後、アドレス回路５０に供給する。
【００１８】
アドレス回路５０は、画像信号処理回路８０で変換された画像データに基づいて、アドレス期間に、スキャンドライバ２０からのスキャンパルスに応じて、表示させる画素データをアドレス電極に出力する。これによって、アドレス放電が生じる。駆動制御回路７０は、プラズマディスプレイ装置の各部を制御する信号を発生して供給する。
【００１９】
ＡＬＩＳ方式のプラズマディスプレイ装置は、上記のように構成されており、アドレス期間には、スキャンドライバ２０からのスキャンパルスに応じて、アドレス回路５０から対応した画素データが出力され、ＰＤＰ６０はアドレス放電を行う。また、サステイン放電期間には、第１，第２Ｙサステイン回路および第１，第２Ｘサステイン回路によって、奇数表示ラインあるいは偶数表示ラインが駆動され、ＰＤＰ６０はサステイン放電を行う。
【００２０】
次に、図３を用いて、サステイン放電期間の駆動方法について説明する。図３の上段の電圧波形は、ＡＬＩＳ動作による各Ｘ電極，Ｙ電極の駆動波形である。図３では、図示を容易とするため、Ｙ１，Ｙ２電極およびＸ１，Ｘ２電極の駆動波形のみを示す。
【００２１】
図３において、奇数フィールドでは、電極Ｙ１とＸ２に電圧Ｖｓを印加し、電極Ｘ１とＹ２をグランドレベル（接地電位）とし、電極Ｘ１とＹ１間および電極Ｘ２とＹ２間で、すなわち、奇数表示ラインで放電を行わせる。このとき、偶数表示ラインの電極Ｙ１とＸ２の間の電位差はゼロであり、放電は発生しない。次の周期では、これらの電圧を反転し、電極Ｙ１とＸ２をグランドレベル（接地電位）とし、電極Ｘ１とＹ２に電圧Ｖｓを印加して、電極Ｘ１とＹ１間および電極Ｘ２とＹ２間で、すなわち、奇数表示ラインで放電を行なわせる。
【００２２】
偶数フィールドでは、電極Ｘ１とＹ１に電圧Ｖｓを印加し、電極Ｘ２とＹ２をグランドレベルとし、電極Ｙ１とＸ２間で、すなわち、偶数表示ラインで放電を行わせる。このとき、奇数表示ラインの電極Ｘ１とＹ１の間および電極Ｘ２とＹ２の間の電位差はゼロであり、放電は発生しない。次の周期では、これらの電圧を反転し、電極Ｘ１とＹ１をグランドレベルとし、電極Ｘ２とＹ２に電圧Ｖｓを印加して、電極Ｙ１とＸ２間で、すなわち、偶数表示ラインで放電を行わせる。
【００２３】
リセット期間やアドレス期間の駆動波形については、特許文献１，２に詳述されているので、その説明は省略する。
【００２４】
次に、本実施例１によるＹ電極駆動回路１００Ｙ，Ｘ電極駆動回路１００Ｘについて、図２を用いて説明する。図２において、ＰＤＰ６０をＹ電極側から駆動するＹ電極駆動回路１００Ｙは、Ｙ奇数電極をサステイン駆動する第１のＹサステイン回路１０Ｙｏと、Ｙ偶数電極をサステイン駆動する第２のＹサステイン回路１０Ｙｅと、一つの電力回収回路３０Ｙと、電力回収回路３０Ｙを交互に切り替えて前記２つのサステイン回路に接続するためのスイッチ４ｙおよび９ｙとを含むスイッチ回路４０Ｙを含む。また、ＰＤＰ６０をＸ電極側から駆動するＸ電極駆動回路１００Ｘも、Ｙ電極駆動回路１００Ｙと同様に構成されており、Ｘ奇数電極をサステイン駆動する第１のＸサステイン回路１０Ｘｏと、Ｘ偶数電極をサステイン駆動する第２のＸサステイン回路１０Ｘｅと、一つの電力回収回路３０Ｘと、電力回収回路３０Ｘを交互に切り替えて前記２つのサステイン回路に接続するためのスイッチ４ｘおよび９ｘとを含むスイッチ回路４０Ｘとを含む。以下、Ｙ電極駆動回路１００Ｙ，Ｘ電極駆動回路１００Ｘの詳細構成について説明するが、Ｙ電極駆動回路１００ＹとＸ電極駆動回路１００Ｘは同一構成であり、ここでは代表して、Ｙ電極駆動回路１００Ｙでその詳細構成を説明する。なお、Ｙ電極駆動回路１００ＹとＸ電極駆動回路１００Ｘにおいて、同一な機能を有する対応した要素には同一な符号を付して示し、区別する必要がある場合には、符号の後に添え字ｙ，ｘを付すものとする。
【００２５】
図２で、第１のＹサステイン回路１０Ｙｏは、例えばＭＯＳＦＥＴで構成されたスイッチ１ｙと２ｙを含む。また、第２のＹサステイン回路１０Ｙｅは、例えばＭＯＳＦＥＴで構成されたスイッチ６ｙと７ｙを含む。電力回収回路３０Ｙは、コイル３１ｙ，ダイオード３２ｙおよびスイッチ３３ｙを直列接続し、これにコイル３６ｙ，ダイオード３５ｙおよびスイッチ３４ｙを直列接続したものを並列接続し、一方の接続点と接地電位との間にコンデンサ３７ｙを設け、他方の接続点を出力としたものである。電力回収回路３０Ｙは、ＰＤＰ６０の図示しないパネル容量Ｃｐから電力を回収し、またパネル容量Ｃｐに電力を供給する。電力回収回路３０Ｙ自体は、例えば特許文献１に記載のものであり、ＰＤＰ６０の図示しないパネル容量Ｃｐとコンデンサ３７ｙとの間で行う電力回収作用の詳細については、例えば特許文献３に開示されており、公知でもあり、説明を省略する。スイッチ４ｙとスイッチ９ｙは、一つの電力回収回路３０Ｙを２つのＹサステイン回路１０Ｙｏと１０Ｙｅに交互に切り替えて接続するための制御スイッチである。
【００２６】
サステイン放電期間（維持放電期間ともいう）に、第１のＹサステイン回路１０Ｙｏと第２のＹサステイン回路１０Ｙｅは、スキャンドライバ２０を通じてＰＤＰ６０のＹ奇数電極とＹ偶数電極に所定の電圧を印加するが、スキャンドライバ２０にはスイッチ２１が搭載され、このスイッチ２１はサステイン動作時には導通状態になって第１サステイン電圧，第２サステイン電圧がそのままＹ電極に伝わるようになっている。また、第１のＸサステイン回路１０Ｘｏと第２のＸサステイン回路１０Ｘｅは、Ｙサステイン回路のサステイン動作に同期して、ＰＤＰ６０のＹ奇数電極とＹ偶数電極に所定の電圧を印加する。
【００２７】
次に、本実施例１による電力回収回路の切り替え動作について、図３を用いて説明する。
図３の上段にＡＬＩＳ動作による各Ｘ電極，Ｙ電極の駆動波形を示している。この波形を実現するように動作させた場合における、電力回収回路の切り替え動作を説明する。
【００２８】
ｔ１期間：サステイン放電の奇数フィールド期間では、奇数番目の表示ラインである奇数ラインを点灯させるために、まずＹ奇数電極（以下、Ｙ１電極で代表する）とＸ偶数電極（以下、Ｘ２電極で代表する）に電圧Ｖｓを印加し、Ｙ偶数電極（以下、Ｙ２電極で代表する）とＸ奇数電極（以下、Ｘ１電極で代表する）をグラウンドレベル（接地電位）とする。この際の立ち上げ期間であるｔ１期間では、Ｙ１電極に電力回収回路３０Ｙのコンデンサ３７ｙから電力を供給する。勿論、電力回収回路３０Ｘのコンデンサ３７ｘからもＸ２電極に電力を供給する。
【００２９】
そこで、Ｙ電極側では、スイッチ３３ｙ，スイッチ４ｙがオンし、電力回収回路３０ＹがＹ１電極に接続される。また、Ｙ２電極をゼロレベルにするために第２のＹサステイン回路１０Ｙｅのスイッチ７ｙがオンする。他のスイッチはオフである。また、Ｘ電極側では、スイッチ３３ｘ、スイッチ９ｘがオンし、電力回収回路３０ＸがＸ２電極に接続される。また、Ｘ１電極をゼロレベル（接地電位）とするために第１のＸサステイン回路１０Ｘｏのスイッチ１ｘがオンする。他のスイッチはオフである。これにより、Ｙ１電極に電力回収回路３０Ｙから電力が供給され、Ｘ２電極に電力回収回路３０Ｘから電力が供給される。
【００３０】
ｔ２期間：この期間ｔ２では、Ｙ１電極とＸ２電極に電圧Ｖｓを与える。そのため、Ｙ電極側では、第１のＹサステイン回路１０Ｙｏのスイッチ２ｙがオンする。また、引き続きＹ２電極はゼロレベルなので、第２のＹサステイン回路１０Ｙｅのスイッチ７ｙのオンが継続する。他のスイッチはオフである。また、Ｘ電極側では、第２のＸサステイン回路１０Ｘｅのスイッチ６ｘがオンする。また、引き続きＸ１電極はゼロレベルなので、第１のＸサステイン回路１０Ｘｏのスイッチ１ｘのオンが継続する。他のスイッチはオフである。
【００３１】
ｔ３期間：この期間ｔ３は、Ｙ１電極とＸ２電極への印加電圧の立ち下げ期間である。この期間では、ＰＤＰ６０に蓄積された電荷を電力回収回路３０Ｙ，３０Ｘで回収する。
【００３２】
そこで、Ｙ電極側では、第１のＹサステイン回路１０Ｙｏのスイッチ２ｙがオフ、スイッチ４ｙと電力回収回路３０Ｙのスイッチ３４ｙがオンし、Ｙ１電極に電力回収回路３０Ｙが接続される。また、Ｙ２電極は引き続きゼロレベルであり、第２のＹサステイン回路１０Ｙｅのスイッチ７ｙはオンが継続する。Ｘ電極側では、第２のＸサステイン回路１０Ｘｅのスイッチ６ｘがオフ、スイッチ９ｘと電力回収回路３０Ｘのスイッチ３４ｘがオンし、Ｘ２電極に電力回収回路３０Ｘが接続される。また、Ｘ１電極は引き続きゼロレベルで、第１のＸサステイン回路１０Ｘｏのスイッチ１ｘのオンが継続する。これにより、Ｙ１電極から電力回収回路３０Ｙに電力が回収され、Ｘ２電極から電力回収回路３０Ｘに電力が回収される。
【００３３】
ｔ４期間：この期間ｔ４は、次のサステイン放電へのすきま期間である。そこで、全てのＹ電極とＸ電極をゼロレベルにするために、第１のＹサステイン回路１０Ｙｏのスイッチ１ｙがオンし、スイッチ３４ｙ，スイッチ４ｙはオフする。第２のＹサステイン回路１０Ｙｅのスイッチ７ｙは引き続きオンが継続する。また、第２のＸサステイン回路１０Ｘｅのスイッチ７ｘがオンし、スイッチ３４ｘ，スイッチ９ｘはオフする。第１のＸサステイン回路１０Ｘｏのスイッチ１ｘは引き続きオンが継続する。
【００３４】
ｔ５期間：ｔ４期間に続いて、Ｙ１電極，Ｘ２電極およびＹ２電極，Ｘ１電極に印加する電圧を反転するサイクルに入る。すなわち、Ｙ１電極とＸ２電極をグランドレベル（接地電位）とし、電極Ｘ１と電極Ｙ２に電圧Ｖｓを印加するサイクルとする。ｔ５はこのサイクルの立ち上げ期間である。このｔ５期間では、Ｙ２電極に電力回収回路３０Ｙから電力を供給する。勿論、電力回収回路３０ＸからもＸ１電極に電力を供給する。そこで、Ｙ電極側では、スイッチ３３ｙ，スイッチ９ｙがオンし、第２のＹサステイン回路１０Ｙｅのスイッチ７ｙがオフし、電力回収回路３０ＹがＹ２電極に接続される。また、Ｙ１電極をゼロレベルにするために、第１のＹサステイン回路１０Ｙｏのスイッチ１ｙはオンが継続する。また、Ｘ電極側では、スイッチ３３ｘ、スイッチ４ｘがオンし、第１のＸサステイン回路１０Ｘｏのスイッチ１ｘがオフし、電力回収回路３０ＸがＸ１電極に接続される。また、Ｘ２電極をゼロレベルにするために、第２のＸサステイン回路１０Ｘｅのスイッチ７ｘはオンが継続する。これにより、Ｙ２電極に電力回収回路３０Ｙから電力が供給され、Ｘ１電極に電力回収回路３０Ｘから電力が供給される。
【００３５】
ｔ６期間：この期間ｔ６では、Ｙ２電極とＸ１電極に電圧Ｖｓを与える。そのため、Ｙ電極側では、第２のＹサステイン回路１０Ｙｅのスイッチ６ｙがオンする。また、引き続きＹ１電極をゼロレベルにするため第１のＹサステイン回路１０Ｙｏのスイッチ１ｙのオンが継続し、他のスイッチはオフする。また、Ｘ電極側では、第１のＸサステイン回路１０Ｘｏのスイッチ２ｘがオンし、引き続きＸ２電極をゼロレベルにするために第２のＸサステイン回路１０Ｘｅのスイッチ７ｘのオンが継続し、他のスイッチはオフする。
【００３６】
ｔ７期間：この期間ｔ７は、Ｙ２電極とＸ１電極への印加電圧の立ち下げ期間である。この期間では、ＰＤＰ６０に蓄積された電荷を電力回収回路３０Ｙ，３０Ｘで回収する。そこで、Ｙ電極側では、第２のＹサステイン回路１０Ｙｅのスイッチ６ｙがオフ、スイッチ９ｙと電力回収回路３０Ｙのスイッチ３４ｙがオンし、Ｙ２電極に電力回収回路３０Ｙが接続される。また、Ｙ１電極は引き続きゼロレベルであり、第１のＹサステイン回路１０Ｙｏのスイッチ１ｙはオンが継続する。Ｘ電極側では、第１のＸサステイン回路１０Ｘｏのスイッチ２ｘがオフ、スイッチ４ｘと電力回収回路３０Ｘのスイッチ３４ｘがオンし、Ｘ１電極に電力回収回路３０Ｘが接続される。また、Ｘ２電極は引き続きゼロレベルであり、第２のＸサステイン回路１０Ｘｅのスイッチ７ｘのオンが継続する。これにより、Ｙ２電極から電力回収回路３０Ｙに電力が回収され、Ｘ１電極から電力回収回路３０Ｘに電力が回収される。
【００３７】
以上でサステイン放電の１周期が終わり、以降、この放電サイクルを奇数フィールド期間続けることになる。偶数フィールドでは、インターレース動作で点灯ラインを切り替える必要があり、Ｘ１電極とＸ２電極の位相を奇数フィールドから半周期（進み又は遅れ）ずらすことになるが、これについてもＸ電極側のスイッチタイミングを変えるだけで問題なく対応できる。
【００３８】
以上述べたように、本実施例１によれば、一つの電力回収回路を用い、第１，第２サステイン回路のうち接地されてないアクティブなサステイン回路側に電力回収回路の接続を交互に切り替えることにより、電力回収を従来と同様に行うことができる。これにより、コストダウンを図ることができる。また、本実施例１では、原価のメリットの他、一つの電力回収回路を用いるので、部品数の減少により、基板の小型化が実現出来るメリットもある。
【実施例２】
【００３９】
実施例１では、電力回収回路の接続を切り替えるために、各電極側で２つのスイッチを用いたが、一つのスイッチのみの追加で切り替えが可能な実施例２について説明する。
【００４０】
図４は、実施例２によるＰＤＰの駆動回路の詳細図で、図５は、図４の駆動回路の動作を説明する各部の電圧波形図である。まず、本実施例２によるＹ電極駆動回路，Ｘ電極駆動回路について、図４を用いて説明する。図４において、ＰＤＰ６０をＹ電極側から駆動するＹ電極駆動回路１００’Ｙは、Ｙ奇数電極をサステイン駆動する第１のＹサステイン回路１０’Ｙｏと、Ｙ偶数電極をサステイン駆動する第２のＹサステイン回路１０’Ｙｅの２つのサステイン回路に１つの電力回収回路３０Ｙが接続され、サステイン放電期間には、サステイン電源Ｖｓの放電電圧電源端子から、制御スイッチ５ｙからなるスイッチ回路４０Ｙでサステイン電圧が印加されるように構成されている。
【００４１】
また、ＰＤＰ６０をＸ電極側から駆動するＸ電極駆動回路１００’Ｘも、Ｙ電極駆動回路１００’Ｙと同様に構成されており、Ｘ奇数電極をサステイン駆動する第１のＸサステイン回路１０’Ｘｏと、Ｘ偶数電極をサステイン駆動する第２のＸサステイン回路１０’Ｘｅの２つのサステイン回路に１つの電力回収回路３０Ｘが接続されて、サステイン放電期間には、サステイン電源Ｖｓの放電電圧電源端子から、制御スイッチ５ｘからなるスイッチ回路４０Ｘでサステイン電圧が印加されるように構成されている。
【００４２】
以下、Ｙ電極駆動回路１００’Ｙ，Ｘ電極駆動回路１００’Ｘの詳細構成について説明するが、Ｙ電極駆動回路１００’ＹとＸ電極駆動回路１００’Ｘは同一構成であり、ここでは代表して、Ｙ電極駆動回路１００’Ｙでその詳細構成を説明する。なお、Ｙ電極駆動回路１００’ＹとＸ電極駆動回路１００’Ｘにおいて、同一な機能を有する対応した要素には同一な符号を付して示し、符号の後に添え字ｙ，ｘを付して区別するものとする。
【００４３】
図４で、第１のＹサステイン回路１０’Ｙｏは、例えばＭＯＳＦＥＴで構成されたスイッチ１ｙと２’ｙを含む。また、第２のＹサステイン回路１０’Ｙｅは、例えばＭＯＳＦＥＴで構成されたスイッチ６’ｙと７ｙを含む。電力回収回路３０Ｙは実施例１と同じである。スイッチ５ｙは、一つの電力回収回路３０Ｙから接続されている２つのサステイン回路にサステイン放電期間には、サステイン電圧を印加する制御スイッチである。
【００４４】
次に、本実施例２による電力回収回路の切り替え動作について、図５を用いて詳細に動作を説明する。図５の上段にＡＬＩＳ動作による各Ｘ電極，Ｙ電極の駆動波形を示している。この波形を実現するように動作させた場合における、電力回収回路の切り替え動作を説明する。
【００４５】
ｔ１期間：サステイン放電の奇数フィールド期間では、奇数ラインを点灯させるために、まずＹ奇数電極（以下、Ｙ１電極で代表する）とＸ偶数電極（以下、Ｘ２電極で代表する）に電圧Ｖｓを印加し、Ｙ偶数電極（以下、Ｙ２電極で代表する）とＸ奇数電極（以下、Ｘ１電極で代表する）をグラウンドレベル（接地電位）とする。この際の立ち上げ期間であるｔ１期間では、Ｙ１電極に電力回収回路３０Ｙから電力を供給する。勿論、電力回収回路３０ＸからもＸ２電極に電力を供給する。そこで、Ｙ電極側では、第１のＹサステイン回路１０’Ｙｏのスイッチ２’，スイッチ３３ｙがオンし、電力回収回路３０ＹがＹ１電極に接続される。また、Ｙ２電極をゼロレベルにするために第２のＹサステイン回路１０’Ｙｅのスイッチ７がオンする。他のスイッチはオフである。また、Ｘ電極側では、スイッチ３３ｘ、第２のＸサステイン回路１０’Ｘｅのスイッチ６’ｘがオンし、電力回収回路３０ＸがＸ２電極に接続される。また、Ｘ１電極をゼロレベルとするために第１のＸサステイン回路１０’Ｘｏのスイッチ１ｘがオンする。他のスイッチはオフである。これにより、Ｙ１電極に電力回収回路３０Ｙから電力が供給され、Ｘ２電極に電力回収回路３０Ｘから電力が供給される。
【００４６】
ｔ２期間：この期間ｔ２では、Ｙ１電極とＸ２電極に電圧Ｖｓを与える。そのため、Ｙ電極側では、スイッチ５ｙがオンする。これにより、スイッチ２’ｙがオンなので、Ｙ１電極に電圧Ｖｓが印加される。また、引き続きＹ２電極はゼロレベルなので、第２のＹサステイン回路１０’Ｙｅのスイッチ７ｙのオンが継続する。他のスイッチはオフである。  また、Ｘ電極側では、スイッチ５ｘがオンする。これにより、スイッチ６’ｘがオンなので、Ｘ２電極に電圧Ｖｓが印加される。また、引き続きＸ１電極はゼロレベルなので、第１のＸサステイン回路１０’Ｘｏのスイッチ１ｘのオンが継続する。他のスイッチはオフである。
【００４７】
ｔ３期間：この期間ｔ３は、Ｙ１電極とＸ２電極への印加電圧の立ち下げ期間である。この期間では、ＰＤＰ６０に蓄積された電荷を電力回収回路３０Ｙ，３０Ｘで回収する。  そこで、Ｙ電極側では、スイッチ２’のオンが継続、スイッチ３４ｙがオンし、スイッチ５ｙがオフして、Ｙ１電極に電力回収回路３０Ｙが接続される。また、Ｙ２電極は引き続きゼロレベルであり、第２のＹサステイン回路１０’Ｙｅのスイッチ７ｙはオンが継続する。Ｘ電極側では、スイッチ６’のオンが継続、スイッチ３４ｘがオンし、スイッチ５ｘがオフして、Ｘ２電極に電力回収回路３０Ｘが接続される。また、Ｘ１電極は引き続きゼロレベルであり、第１のＸサステイン回路１０’Ｘｏのスイッチ１ｘはオンが継続する。  これにより、Ｙ１電極から電力回収回路３０Ｙに電力が回収され、Ｘ２電極から電力回収回路３０Ｘに電力が回収される。
【００４８】
ｔ４期間：この期間ｔ４は、次のサステイン放電へのすきま期間である。そこで、全てのＹ電極とＸ電極をゼロレベルにするために、第１のＹサステイン回路１０’Ｙｏのスイッチ１ｙがオンし、スイッチ３４ｙ，スイッチ２’ｙはオフする。第２のＹサステイン回路１０’Ｙｅのスイッチ７ｙは引き続きオンが継続する。また、第２のＸサステイン回路１０’Ｘｅのスイッチ７ｘがオンし、スイッチ３４ｘ，スイッチ６’ｘはオフする。第１のＸサステイン回路１０’Ｘｏのスイッチ１ｘは引き続きオンが継続する。
【００４９】
ｔ５期間：ｔ４期間に続いて、Ｙ１電極，Ｘ２電極およびＹ２電極，Ｘ１電極に印加する電圧を反転するサイクルに入る。すなわち、Ｙ１電極とＸ２電極をグランドレベル（接地電位）とし、電極Ｘ１と電極Ｙ２に電圧Ｖｓを印加するサイクルとする。ｔ５はこのサイクルの立ち上げ期間である。このｔ５期間では、Ｙ２電極に電力回収回路３０Ｙから電力を供給する。勿論、電力回収回路３０ＸからもＸ１電極に電力を供給する。そこで、Ｙ電極側では、スイッチ３３ｙ，スイッチ６’ｙがオンし、第２のＹサステイン回路１０’Ｙｅのスイッチ７ｙがオフし、電力回収回路３０ＹがＹ２電極に接続される。また、Ｙ１電極をゼロレベルにするために、第１のＹサステイン回路１０’Ｙｏのスイッチ１ｙはオンが継続する。また、Ｘ電極側では、スイッチ３３ｘ、スイッチ２’ｘがオンし、第１のＸサステイン回路１０Ｘｏのスイッチ１ｘがオフし、電力回収回路３０ＸがＸ１電極に接続される。また、Ｘ２電極をゼロレベルにするために、第２のＸサステイン回路１０’Ｘｅのスイッチ７ｘはオンが継続する。これにより、Ｙ２電極に電力回収回路３０Ｙから電力が供給され、Ｘ１電極に電力回収回路３０Ｘから電力が供給される。
【００５０】
ｔ６期間：この期間ｔ６では、Ｙ２電極とＸ１電極に電圧Ｖｓを与える。そのため、Ｙ電極側では、スイッチ５ｙがオンする。これにより、スイッチ６’ｙがオンなので、Ｙ２電極に電圧Ｖｓが印加される。また、引き続きＹ１電極はゼロレベルなので、第１のＹサステイン回路１０’Ｙｏのスイッチ１ｙのオンが継続する。他のスイッチはオフである。  また、Ｘ電極側では、スイッチ５ｘがオンする。これにより、スイッチ２’ｘがオンなので、Ｘ１電極に電圧Ｖｓが印加される。また、引き続きＸ２電極ゼロレベルなので、第２のＸサステイン回路１０’Ｘｅのスイッチ７ｘのオンが継続する。他のスイッチはオフである。
【００５１】
ｔ７期間：この期間ｔ７は、Ｙ２電極とＸ１電極への印加電圧の立ち下げ期間である。この期間では、ＰＤＰ６０に蓄積された電荷を電力回収回路３０Ｙ，３０Ｘで回収する。  そこで、Ｙ電極側では、スイッチ６’ｙのオンが継続、スイッチ３４ｙがオンし、スイッチ５ｙがオフして、Ｙ２電極に電力回収回路３０Ｙが接続される。また、Ｙ１電極は引き続きゼロレベルであり、第１のＹサステイン回路１０’Ｙｏのスイッチ１ｙのオンが継続する。Ｘ電極側では、スイッチ２’のオンが継続、スイッチ３４ｘがオンし、スイッチ５ｘがオフして、Ｘ１電極に電力回収回路３０Ｘが接続される。また、Ｘ２電極は引き続きゼロレベルであり、第２のＸサステイン回路１０’Ｘｅのスイッチ７ｘはオンが継続する。これにより、Ｙ２電極から電力回収回路３０Ｙに電力が回収され、Ｘ１電極から電力回収回路３０Ｘに電力が回収される。
【００５２】
以上でサステイン放電の１周期が終わり、以降、この放電サイクルを奇数フィールド期間続けることになる。偶数フィールドでは、インターレース動作で点灯ラインを切り替える必要があり、Ｘ１電極とＸ２電極の位相を奇数フィールドから半周期（進み又は遅れ）ずらすことになるが、これについてもＸ電極側のスイッチタイミングを変えるだけで問題なく対応できる。
【００５３】
以上述べたように、本実施例２によれば、実施例１と同様に、一つの電力回収回路を用い、第１，第２サステイン回路のうち接地されてないサステイン回路側に電力回収回路の接続を交互に切り替えることにより、電力回収を従来と同様に行うことができる。これにより、コストダウンを図ることができる。また、本実施例２では、実施例１と異なり、各電極側で一つのスイッチのみの追加で切り替えが可能であり、よりコストダウンが図れる。
本発明は、１つの電力回収回路を第１サステイン回路、第２サステイン回路で共通で使う技術を示したもので、実際の適用にあたっては、本文で示したサステイン電圧が＋Ｖｓの１種類以外の、＋Ｖｓ、−Ｖｓの２種類の電源で駆動しているサステイン出力回路にも同様に適用できることは言うまでもない。
【図面の簡単な説明】
【００５４】
【図１】本発明の第１実施例のプラズマディスプレイ装置の概略全体構成図である。
【図２】本発明の第１実施例によるＰＤＰの駆動回路図である。
【図３】図２のＰＤＰの駆動回路図の動作を説明する各部の電圧波形図である。
【図４】本発明の第２実施例によるＰＤＰの駆動回路図である。
【図５】図４のＰＤＰの駆動回路図の動作を説明する各部の電圧波形図である。
【符号の説明】
【００５５】
１    スイッチ
１０Ｙｏ    第１のＹサステイン回路
１０Ｙｅ    第２のＹサステイン回路
１０Ｘｏ    第１のＸサステイン回路
１０Ｘｅ    第２のＸサステイン回路
２０    スキャンドライバ
２１    スイッチ
３０Ｘ，３０Ｙ    電力回収回路
３１    コイル      
３２    ダイオード
３３，３４    スイッチ
３５    ダイオード
３６    コイル
３７    コンデンサ
４０Ｘ，４０Ｙ    スイッチ回路
５０    アドレス回路
６０    ＰＤＰ
６１    Ｘ電極
６２    Ｙ電極
６３    アドレス電極
７０    駆動制御回路
８０    画像信号処理回路
１００Ｙ    Ｙ電極駆動回路
１００Ｘ    Ｘ電極駆動回路、
【図１】
2007164014.tif 000003
【図２】
2007164014.tif 000004
【図３】
2007164014.tif 000005
【図４】
2007164014.tif 000006
【図５】
2007164014.tif 000007